(57)【要約】【課題】  糊桶内で糊液が滞る現象を解消し、糊切れを防止し、クロスの剥がれ等の現象を防止する自動壁紙糊付機を得る。【解決手段】  糊付機本体の後部から引き入れたシート状壁装材を複数のローラで前方へ送り出しながら、前記糊付機本体内の糊桶に収容されている糊液を糊付けローラで前記壁装材の裏面に転写することによって連続的に糊液を塗布する自動壁紙糊付機において、  収容されている糊液を前記糊桶内で強制流動させる糊液流動手段を備える。【選択図】      図２
2008086930.tif 000002
【特許請求の範囲】
【請求項１】
糊付機本体の後部から引き入れたシート状壁装材を複数のローラで前方へ送り出しながら、前記糊付機本体内の糊桶に収容されている糊液を糊付けローラで前記壁装材の裏面に転写することによって連続的に糊液を塗布する自動壁紙糊付機において、
収容されている糊液を前記糊桶内で強制流動させる糊液流動手段を備えたことを特徴とする自動壁紙糊付機。
【請求項２】
前記糊液流動手段が、前記糊付けローラに対して平行な回転軸を持ち前記糊桶内に設置された糊液流動ローラであることを特徴とする請求項１に記載の自動壁紙糊付機。
【請求項３】
前記糊液流動ローラは、円筒側面に糊液の流動効率を高める多数の溝加工が施されていることを特徴とする請求項２に記載の自動壁紙糊付機。
【請求項４】
前記糊液流動ローラが、前記糊付けローラの回転駆動をギアを介して回転駆動されることを特徴とする請求項２又は３に記載の自動壁紙糊付機。
【請求項５】
前記糊桶には、糊桶の後面側寄りの位置に糊上げローラが配され、
前記糊液流動ローラは、糊桶の前面側寄りの位置に配されていることを特徴とする請求項２〜３の何れか１項に記載の自動壁紙糊付機。
【発明の詳細な説明】
【技術分野】
【０００１】
本発明は、室内壁面等に貼付されるシート状壁装材の裏面に連続的に糊液を塗布する自動壁紙糊付機に関するものである。
【背景技術】
【０００２】
現在、建築物の内装施工における壁装材の室内壁面への貼付は、糊液を収容している糊桶と、互いにギアを介して連動する複数のローラとを備えた壁紙糊付機を用いて現場でシート状の壁装材に連続的に糊液を塗布しながら行うのが一般的となっている。
【０００３】
このような壁紙糊付機の一般的な構成は、内部に複数のローラが配置された上部構体及び下部構体から構成される糊付機本体を支持脚部上に載置し、上下構体の間に挟み込んだシート状壁装材（以下、クロスと記す）をローラで搬送しながら、下部構体の糊桶から糊液をローラで上げ、壁装材裏面に転写塗布していくものである。
【０００４】
従来から壁紙糊付機には手動式と自動式とがある。即ち、下部構体上に原反ロールから繰り出したクロスを先端部が本体前方に垂れる状態で載置して上部構体を閉じて下部構体と上部構体の所定ローラ間にクロスを挟み込んだ状態にしておく。
【０００５】
手動式装置ではクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊液をその回転によって引き上げているローラの頂点上で、このローラから糊液が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００６】
このような壁紙糊付機では、効率的で均一な糊付けを行えるという点では、自動式の壁紙糊付機の使用が好まれる。しかしながら、糊付機は現場へ搬送してそこで組立てられ、使用後は分解して再び持ち帰って収納しておくものであるため、小型で軽量であることが望まれるが、自動壁紙糊付機は、モータ等の駆動部及びそのコントロール部とを備える分、手動式のものより大型化し、重量も増えてしまう。
【０００７】
従って、自動壁紙糊付機において、糊付機本体の小型軽量化を目的とし、糊桶を小さくし、小さくしたことで頻繁に糊液の供給を行わないように、糊液供給ポンプを備えた自動壁紙糊付機が実用化されるに至っている（例えば、特許文献１参照）。
【特許文献１】実開平７−４４６７５号公報
【発明の開示】
【発明が解決しようとする課題】
【０００８】
糊液供給ポンプを備えた自動壁紙糊付機では、糊液をポンプで送給し、糊桶内で一定量を維持するように制御される。そのため、大型マンション、高層マンション等の大規模住宅の現場では、１ヶ月〜６ヶ月などの長期に亘り、糊付機を据え置き、施工されている。その間、糊液の洗浄を行わずに、連続して使用する可能性もある。
【０００９】
このような状況が想定されるため、本出願人は自動壁紙糊付機を洗浄なしで長期間使用する実験をおこなった。その結果、１ヶ月以上の長期使用において、糊切れサインの誤動作が頻繁に起こった。この現象の原因を検証したところ、センサや機器の耐久性の問題ではなく、糊液の高粘性化が原因であることが判明した。
【００１０】
即ち、洗浄なしの長期の使用に際しては、糊液は糊桶内で一定量を維持するように供給される。この場合、糊液が供給される糊桶後面側から糊上げローラ周囲では、常に新しい糊液の流れが発生するものの、糊桶前面側の特に角部では、糊液の流れが滞るため、糊液中の澱粉成分が凝集し、高粘度化する現象が生じていることが判った。
【００１１】
そのため、実質的に糊桶の内容積が減少することとなり、糊切れが頻繁に生じる現象が現れていたことが判明した。糊切れすると、糊が十分に供給されないため、糊の接着力が弱まり、貼着されたクロスの剥がれ等の現象が起こる場合も想定される。
【００１２】
本発明は、糊桶内で糊液が滞る現象を解消し、糊切れを防止すること、クロスの剥がれ等の現象を防止することを目的とする。
【課題を解決するための手段】
【００１３】
請求項１に記載された発明に係る自動壁紙糊付機は、糊付機本体の後部から引き入れたシート状壁装材を複数のローラで前方へ送り出しながら、前記糊付機本体内の糊桶に収容されている糊液を糊付けローラで前記壁装材の裏面に転写することによって連続的に糊液を塗布する自動壁紙糊付機において、
収容されている糊液を前記糊桶内で強制流動させる糊液流動手段を備えたことを特徴とするものである。
【００１４】
請求項２に記載された発明に係る自動壁紙糊付機は、請求項１に記載の糊液流動手段が、前記糊付けローラに対して平行な回転軸を持ち前記糊桶内に設置された糊液流動ローラであることを特徴とするものである。
【００１５】
請求項３に記載された発明に係る自動壁紙糊付機は、請求項２に記載の糊液流動ローラは、円筒側面に糊液の流動効率を高める多数の溝加工が施されていることを特徴とするものである。
【００１６】
請求項４に記載された発明に係る自動壁紙糊付機は、請求項２又は３に記載の糊液流動ローラが、前記糊付けローラの回転駆動をギアを介して回転駆動されることを特徴とするものである。
【００１７】
請求項５に記載された発明に係る自動壁紙糊付機は、請求項２〜３の何れか１項に記載の糊桶には、糊桶の後面側寄りの位置に糊上げローラが配され、
前記糊液流動ローラは、糊桶の前面側寄りの位置に配されていることを特徴とするものである。
【発明の効果】
【００１８】
本発明は以上説明した通り、糊桶内で糊液が滞る現象を解消し、糊切れやクロスの剥がれ等の現象を防止することができるという効果がある。
【発明を実施するための最良の形態】
【００１９】
本発明においては、糊付機本体の後部から引き入れたシート状壁装材を複数のローラで前方へ送り出しながら、前記糊付機本体内の糊桶に収容されている糊液を糊付けローラで前記壁装材の裏面に転写することによって連続的に糊液を塗布する自動壁紙糊付機において、収容されている糊液を前記糊桶内で強制流動させる糊液流動手段を備える。これにより、糊桶内で糊液が滞る現象を解消することができる。
【００２０】
特に、糊桶の洗浄を行わずに連続して使用可能なポンプ付きの自動壁紙糊付機、即ち、糊液を保持した糊液容器内の糊液を糊液送給パイプを介して前記糊桶内へ供給する糊液供給ポンプ装置と、前記糊液供給ポンプ装置の駆動を制御するポンプ制御手段とを備えた自動壁紙糊付機に好適である。
【００２１】
本発明の糊液流動手段としては、糊桶内部での糊液の流れの滞りを防止するために糊液の流れを発生させるものであればよく、例えば、糊桶の後面側から供給される糊液を糊桶内の後面側から前面側に迂回路を分岐させて、糊桶前面側からも供給することにより、供給される糊液の流れを利用したり、糊桶内部、特に前面側角部に小型のスクリュー等を配して強制的に糊桶内の糊液を撹拌してもよい。
【００２２】
しかしながら、迂回路を配することは高粘度化した糊液で迂回路自体が閉塞されるおそれがあり、メンテナンス性の問題がある。また、小型のスクリュー等を配して強制的に撹拌することは、糊液に泡を発生させる可能性が高く、クロスの貼着力にも悪影響がある。更に、駆動源の確保、メンテナンス性の問題等も生じる。
【００２３】
そこで、好ましい態様としては、糊液流動手段として糊付けローラに対して平行な回転軸を持ち糊桶内に設置された糊液流動ローラを備える。この糊液流動ローラは糊桶内の糊液に全部又は一部を浸された状態で回転することにより、糊桶内部の糊液が滞りやすい箇所の糊液に流れを発生させる。
【００２４】
このため、更に好ましい態様としては、糊液流動ローラは、円筒側面に糊液の流動効率を高める多数の溝加工が施されているものである。溝の深さは、深ければ回転によって発生する流れが強く大きくなるが、糊液流動ローラの回転速度に伴って泡が発生しないような深さを適宜選択すればよい。また、溝の方向については、流動性能が高まるよう、回転軸に平行か、垂直か、螺旋状か、あるいはローレット形状のものを用いる。
【００２５】
本発明の糊液流動ローラの駆動源としては、糊液流動ローラを回転駆動するモータ等を個別に配してもよいが、電源の確保やメンテナンス性の問題のため、好ましい態様としては、糊液流動ローラが糊付けローラの回転駆動をギアを介して回転駆動される。即ち、糊付けローラの回転軸に配されたギアを直接又は間接的に糊液流動ローラの回転軸に配されたギアで駆動を伝えることにより、糊液流動ローラが回動する。
【００２６】
本発明の糊液流動ローラの配置位置としては、糊桶内部で糊液の流れが滞りやすい箇所に向けて糊液の流れを発生させるものであればよい。より具体的には、糊桶には糊桶の後面側寄りの位置に糊上げローラが配されている場合には、糊液流動ローラは糊桶の前面側寄りの位置に配される。また、ポンプで糊液を供給する場合には、ポンプからの糊液の供給口と反対側に糊液流動ローラを配することにより、滞りが解消される。
【実施例】
【００２７】
１．全体構成
図１は本発明の自動壁紙糊付機の一実施例の構成を示す説明図である。図に示す通り、壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００２８】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出される壁装材（クロス）Ｃは、後脚３２の折り畳み部３５に横架された第１テンションバー３６に当接して引き込み口での引き込み荷重が与えられる。この第１テンションバー３６は、台座部２の前脚３１と後脚３２との中間位置下方に設けられたカットテープ取付け芯棒３７に一端部を回動自在に軸支された第１テンションバー回動部材３８の他端部に取付けられることにより、折り畳み時に台座部２の前脚３１の上部へ収納することができる。
【００２９】
糊付機本体１は、糊桶６を主とする下部構体４とその上に開閉可能に載置される上部構体５とによって構成される。
【００３０】
各ローラの回転に伴って糊付機本体１の後面側から前方へ搬送されてくるクロス裏面に回転しながら当接して連続的に糊を塗布する糊付けローラ４１は、下部構体４の左右両側壁面の軸受板にできるだけ糊桶６内に沈む下方位置の配置となるように軸支されている。また、糊桶６内の糊液を糊付けローラ４１に転写する糊上げローラ６１は、糊桶６の両側側面に中心より後面側寄りの位置で軸支されている。
【００３１】
糊付けローラ４１は、糊付機本体１の側面に着脱自在に取付けられる駆動源である電動モータを備えたコントローラ（図示せず）の回転軸に連結されている。糊桶６の側板に軸止された糊付けローラ４１の回転軸は、下部構体４に配置される下ピンチローラ４２、ドクターローラ４３、均しローラ４４及び上部構体５に配置される検尺ローラとして用いられる上ピンチローラ５１、押さえローラ５２、ドライブローラ５３のうちの所定ローラの回転軸とギアを介して連動される。
【００３２】
糊付けローラ４１の回転に伴って、ギアを介して回転運動が伝達され、他のローラも回転し、上下部構体間に挟み込まれているクロスＣを後方から前方へ搬送し、その途中で糊付けローラ４１上を搬送される際に糊桶６から引き上げられた糊液がクロス裏面に転写塗布される。
【００３３】
また、糊付機本体１の後面側には、スリッター８を備える。スリッター８は、クロスＣを沿わせて搬送する搬送通路となるガイド面部８１と、このガイド面部８１への上流側とガイド面部８１の下流側にクロス全幅に亘ってガイド面部８１方向へ押圧された状態でガイド面部８１上にテンションをかけるように配置される２つのテンションバー８２，８３と、ガイド面部８１の側端部領域に各々回転刃８０とを備えている。尚、スリッター８の両側壁部の上部に設置されているのは、収納時にクロス芯棒３４を保持するホルダー８４である。
【００３４】
具体的には、ガイド面部８１の両側端部領域には、一枚刃式（一枚の円形刃物の回転で切断する形式の刃）の回転刃８０が夫々配置されており、この回転刃８０の高速回転によってクロスの側縁の両側が切断される。回転刃８０を配置する位置は、クロスＣの側縁部（所謂、耳部）をどれだけ切断するかによって適宜決定すれば良いので、左右方向の位置が可変に構成されている。よって、側端部領域はクロスＣの切断条件に応じて任意に定まるものである。そして、この可変領域を含んだ両側部がクロスＣの切断部となる。
【００３５】
スリッターの下方の第２テンションバー８２は、第１テンションバー３６と同様にクロスＣの全幅を超える長さの丸棒部材であり、第２テンションバー８２の両端部を支持する第２テンションバー回動部材８５により、開いた状態でクロスＣに装着することができ、クロスＣの両耳部を切断する際には、テンションをかけるようにスリッター下方に移動可能である。また、ガイド面部８１への上流側の第３テンションバー８３は、挟み込まれたクロスＣをガイド面部８１へ押付ける機構を備え、回転刃８０による切断の際にガイド面部８１からクロスＣが浮き上がることを防止すると共に、ガイド面部８１の下流側曲面８６と併せて糊付機本体へ引き込まれるクロスＣに良好なテンションをかけることができる。
【００３６】
更に、糊付機本体１の外部には、糊液が収容されている糊液容器としての糊バケツ７１と、糊バケツ７１内の糊液を糊桶６へ連続的に供給する糊液供給ポンプ装置７とが配されている。ポンプ装置７は、糊付機本体１側の駆動と同期して駆動し、吸入口７２からタンク内の糊液を吸い込み、吐出口７３から糊付機本体１に連通する供給パイプ７４を介して糊桶６の後面側の供給口内へ供給する。尚、糊付けローラ４１によるクロス裏面への糊液塗布に基づく糊桶６内の糊液の減少量よりも多い流量で供給する。糊液量の上限レベルを超えた際に糊液の供給を停止することで糊液レベルを維持する制御が行われる。
【００３７】
２．糊桶構成
図２は図１の自動壁紙糊付機の糊桶部分の側面構成を示す説明図であり、図３は図２の平面構成を示す説明図である。図に示す通り、糊桶６の内側には両側壁にわたって糊上げローラ６１と糊液流動ローラ６２との２つのローラが装着されている。糊桶６の後面側寄りに配置された糊上げローラ６１は糊桶６内の糊液を回転によってローラ側壁上に載せて接触された糊付けローラ４１に転写する。糊桶６の前面側寄りに配置された糊液流動ローラ６２は回動することにより、糊液が滞りやすい糊桶前面に糊液の流れを発生させる。
【００３８】
糊液流動ローラ６２は、例えば糊液が通常の濃度に調整された場合に図２の１点鎖線で示したレベル位置に相当する糊桶重量を超えると糊液供給ポンプ装置７の駆動が停止するように構成されているため、糊桶６内の糊液に全部が浸る高さ位置か又は糊液の粘度が高い場合には一部が露出する高さ位置に設置されることになる。
【００３９】
糊液流動ローラ６２の駆動は、糊付けローラ４１の駆動を利用する。糊桶６内部には、糊付けローラ４１の一端部に配された糊付けローラギア４１ａと噛合する糊上げローラギア６１ａが配され、この糊上げローラギア６１ａに噛合する中間ギア６３が配され、更に、この中間ギア６３に噛合する糊液流動ローラ６２の一端部に配された糊液流動ローラギア６２ａが配されることにより、糊付けローラ４１に同期して糊液流動ローラ６２が駆動される。
【００４０】
糊液流動ローラ６２の側壁部表面には、糊液の流動効率を高める多数の溝加工が施されている。具体的な溝の深さ・幅・間隔は、ローラ６２の一部が露出する液面高さ位置でも回動によって泡が生じ難いものを選択した。例えば、溝の深さは０．３ｍｍ、溝幅は１ｍｍのローラを用いた。
【００４１】
また、糊桶６の外側の両側壁部には、第１突部６４、第２突部６５及び第３突部６６の３つの突部が形成されている。これら第１突部６４、第２突部６５及び第３突部６６は、下部構体４の内側の両側板に対向して形成されたレール（図示せず）内を摺動して糊付機１の前後方向に出し入れ可能に設置された糊桶６の移動をガイドするものである。
【００４２】
レールは３つの突部６４，６５，６６を介して糊桶６をその内部に軸支された糊上げローラ６１と共に糊付けローラ４１に干渉しない経路に沿って案内する軌道を有する。また、第１突部６４、第２突部６５及び第３突部６６がレール内を摺動する際には、糊桶６をほぼ水平状態に維持させたまま案内する軌道を有する。即ち、糊桶６の取り外し時には図２に示した装着時から前方斜め下方向へ糊桶６が移動して糊上げローラ６１と糊付けローラ４１との接触を解除し、糊上げローラ６１の側壁の最上部位置が糊付けローラ４１のローラ側壁の最下部位置よりも下方に降下した後、水平に前方向に移動するようにレールの軌道が定められている。
【図面の簡単な説明】
【００４３】
【図１】本発明の自動壁紙糊付機の一実施例の構成を示す説明図である。
【図２】図１の自動壁紙糊付機の糊桶部分の側面構成を示す説明図である。
【図３】図２の平面構成を示す説明図である。
【符号の説明】
【００４４】
Ｃ    …クロス、
Ｒ    …原反ロール、
１    …糊付機本体、
２    …台座部、
３    …脚部、
３１  …前脚、
３２  …後脚、
３３  …クロス受けブラケット、
３４  …クロス芯棒、
３５  …折り畳み部、
３６  …第１テンションバー、
３７  …カットテープ取付け芯棒、
３８  …第１テンションバー回動部材、
４    …下部構体、
４１  …糊付けローラ、
４１ａ…糊付けローラギア
４２  …下ピンチローラ、
４３  …ドクターローラ、
４４  …均しローラ、
４６  …前方下部フレーム、
４７  …穿設孔、
５    …上部構体、
５１  …上ピンチローラ、
５２  …押さえローラ、
５３  …ドライブローラ、
６    …糊桶、
６１  …糊上げローラ、
６１ａ…糊上げローラギア
６２  …糊液流動ローラ、
６２ａ…糊液流動ローラギア、
６３  …中間ギア、
６４  …第１突部、
６５  …第２突部、
６６  …第３突部、
７    …糊液供給ポンプ装置、
７１  …糊バケツ（糊液容器）、
７２  …吸入口、
７３  …吐出口、
７４  …供給パイプ、
７５  …供給口
８    …スリッター、
８０  …回転刃、
８１  …ガイド面部、
８２  …第２テンションバー、
８３  …第３テンションバー、
８４  …ホルダー、
８５  …第２テンションバー回動部材、
８６  …下流側曲面、
【図１】
2008086930.tif 000003
【図２】
2008086930.tif 000004
【図３】
2008086930.tif 000005